(57)【特許請求の範囲】
【請求項１】
複数の基地局と、複数の制御局と、前記制御局および前記基地局を管理するネットワーク統制センターとを備えたＩＭＴ−２０００システムにおいて、各制御局および各基地局にＩＤを割り当てる方法であって、
前記ネットワーク統制センターによりシステム初期化が行われたか否かを判断する第１ステップと、
前記システム初期化が行われていない場合には、再び前記第１ステップに戻り、他方、前記システム初期化が行われた場合には、前記ネットワーク統制センターに所属する全ての制御局に制御局ＩＤ割当データを伝送して、全ての制御局に対応する固有の制御局ＩＤおよびグループＩＤを割り当てる第２ステップと、
前記複数の制御局それぞれにおいて、前記ネットワーク統制センターが伝送した制御局ＩＤ割当データを受信し、そのＩＤ割当データを分析して自分の固有の制御局ＩＤおよびグループＩＤを認識する第３ステップと、
前記複数の制御局のそれぞれが自分と接続された全ての基地局に基地局ＩＤ割当データを伝送して全ての基地局に対応する固有の基地局ＩＤを割り当てる第４ステップと、
前記複数の基地局のそれぞれにおいて、前記制御局が伝送した基地局ＩＤ割当データを受信し、前記基地局ＩＤ割当データを分析して自分の固有の基地局ＩＤを認識する第５ステップと
を備えたことを特徴とする、ＩＭＴ−２０００システムにおける制御局および基地局ＩＤ割当方法。
【請求項２】
請求項１に記載の方法において、
前記第２ステップは、
前記ネットワーク統制センターが複数の制御局のいずれか一つの制御局から第１ＩＤ割当要求信号が受信されたか否かを判断する第６ステップと、
前記第６ステップで、前記第１ＩＤ割当要求信号が受信されなかった場合には、再び前記第６ステップに進行し、他方、前記ＩＤ割当要求信号が受信された場合には、前記ネットワーク統制センターがその制御局に制御局ＩＤ割当データを伝送して対応する固有の制御局ＩＤおよびグループＩＤを割り当てる第７ステップと、
前記ネットワーク統制センターが複数の制御局に対するＩＤ割当動作が全部行われたか否かを判断する第８ステップと、
前記第８ステップで前記ＩＤ割当動作が全部行われなかった場合には、再び前記第６ステップに進行し、他方、前記ＩＤ割当動作が全部行われた場合には、前記ネットワーク統制センターが前記複数の制御局に割り当てられた固有の制御局ＩＤとグループＩＤとを利用して複数の制御局に対する管理動作を行う第９ステップと
を備えたことを特徴とする、ＩＭＴ−２０００システムにおける制御局および基地局ＩＤ割当方法。
【請求項３】
請求項２に記載の方法において、
前記制御局ＩＤ割当データは、制御局グループＩＤを表す領域と、制御局ＩＤを表す領域とよりなることを特徴とする、ＩＭＴ−２０００システムにおける制御局および基地局にＩＤを割り当てる方法。
【請求項４】
請求項１に記載の方法において、
前記第４ステップは、
前記複数の制御局の各々に属する複数の基地局のいずれか一つの基地局から第２ＩＤ割当要求信号が受信されたか否かを判断する第１０ステップと、
いずれか一つの基地局から前記第２ＩＤ割当要求信号が受信されなかった場合には、再び前記第１０ステップに進行し、他方、前記第２ＩＤ割当要求信号が受信された場合には、前記複数の制御局がその基地局に基地局ＩＤ割当データを伝送して対応する固有の基地局ＩＤを割り当てる第１１ステップと、
前記複数の制御局の各々に属する複数の基地局に対するＩＤ割当動作が全部行われたか否かを判断する第１２ステップと、
前記ＩＤ割当動作が全部行われなかった場合には、再び前記第１０ステップに進行し、他方、前記ＩＤ割当動作が全部行われた場合には、前記複数の基地局に割り当てられた基地局ＩＤを利用して前記複数の基地局に対する管理動作を各々行う第１３ステップと
を備えたことを特徴とする、ＩＭＴ−２０００システムにおける制御局および基地局にＩＤを割り当てる方法。
【請求項５】
請求項４に記載の方法において、前記基地局ＩＤ割当データは、基地局グループＩＤを表す領域と、基地局ＩＤを表す領域とよりなることを特徴とする、ＩＭＴ−２０００システムにおける制御局および基地局にＩＤを割り当てる方法。
【発明の詳細な説明】
【０００１】
【発明の属する技術分野】
本発明は、ＩＭＴ（International Mobile Telecommunication）−２０００システムにおける制御局および基地局にＩＤを割り当てる方法に関し、さらに詳細には、制御局と基地局との識別をソフトウェア的に具現するＩＭＴ−２０００システムにおける制御局および基地局にＩＤを割り当てる方法に関する。
【０００２】
【従来の技術】
従来のＩＭＴ−２０００システムにおける各システムに対するＩＤ割当方法は、基地局内に固有のＩＤが格納されたＲＯＭを装着して使用するハードウェア的な方法を使用することによって、基地局内のＲＯＭ設置による生産コストが増加するだけでなく、各基地局に対する固有のＩＤ情報が変更された場合、運用者が直接ＲＯＭを置換えなければならない不便な問題点があった。
【０００３】
一つ以上の基地局が一つ以上の交換機と連動して動作する従来の移動通信システムのＤＣＳ／ＰＣＳモードとは異なって、ＩＭＴ−２０００システムでは、一つまたは複数の基地局が一つまたは複数のネットワーク統制センター（ＯＭＣ（operating and maintenance center））に直接接続するので、ネットワーク統制センターは、接続される複数の基地局を区別すべきであるが、従来の移動通信システムでは、複数の基地局を識別するための特定のＩＤが各々の基地局に割り当てられていないので、ネットワーク統制センターで複数の基地局を識別することが困難であった。
【０００４】
【発明が解決しようとする課題】
そこで、本発明の目的は、上記のような従来の問題点に鑑み、複数の制御局および基地局に対するＩＤ割当動作をソフトウェア的に具現することによって、各システムに対するＩＤ割当をより早くかつ簡便に行えるようにするための、ＩＭＴ−２０００システムにおける各システムに対するＩＤ割当方法を提供することにある。
【０００５】
【課題を解決するための手段】
上記の目的を達成するために、請求項１に係る本発明は、複数の基地局と、複数の制御局と、前記制御局および前記基地局を管理するネットワーク統制センター（ＯＭＣ（operating and maintenance））とを備えたＩＭＴ−２０００システムにおいて、各制御局および各基地局にＩＤを割り当てる方法であって、前記ネットワーク統制センターによりシステム初期化が行われたか否かを判断する第１ステップと、前記システム初期化が行われていない場合には、再び前記第１ステップに戻り、他方、前記システム初期化が行われた場合には、前記ネットワーク統制センターに所属する全ての制御局に制御局ＩＤ割当データを伝送して、全ての制御局に対応する固有の制御局ＩＤおよびグループＩＤを割り当てる第２ステップと、前記複数の制御局それぞれにおいて、前記ネットワーク統制センターが伝送した制御局ＩＤ割当データを受信し、そのＩＤ割当データを分析して自分の固有の制御局ＩＤおよびグループＩＤを認識する第３ステップと、前記複数の制御局のそれぞれが自分と接続された全ての基地局に基地局ＩＤ割当データを伝送して全ての基地局に対応する固有の基地局ＩＤを割り当てる第４ステップと、前記複数の基地局のそれぞれにおいて、前記制御局が伝送した基地局ＩＤ割当データを受信し、前記基地局ＩＤ割当データを分析して自分の固有の基地局ＩＤを認識する第５ステップとを備えたことを特徴とする。
【０００６】
請求項２に係る本発明は、請求項１に記載の方法において、前記第２ステップは、前記ネットワーク統制センターが複数の制御局のいずれか一つの制御局から第１ＩＤ割当要求信号が受信されたか否かを判断する第６ステップと、前記第６ステップで、前記第１ＩＤ割当要求信号が受信されなかった場合には、再び前記第６ステップに進行し、他方、前記ＩＤ割当要求信号が受信された場合には、前記ネットワーク統制センターがその制御局に制御局ＩＤ割当データを伝送して対応する固有の制御局ＩＤおよびグループＩＤを割り当てる第７ステップと、前記ネットワーク統制センターが複数の制御局に対するＩＤ割当動作が全部行われたか否かを判断する第８ステップと、前記第８ステップで前記ＩＤ割当動作が全部行われなかった場合には、再び前記第６ステップに進行し、他方、前記ＩＤ割当動作が全部行われた場合には、前記ネットワーク統制センターが前記複数の制御局に割り当てられた固有の制御局ＩＤとグループＩＤとを利用して複数の制御局に対する管理動作を行う第９ステップとを備える。
【０００７】
請求項３に係る本発明は、請求項２に記載の方法において、前記制御局ＩＤ割当データは、制御局グループＩＤを表す領域と、制御局ＩＤを表す領域とよりなるものである。
【０００８】
請求項４に係る本発明は、請求項１に記載の方法において、前記第４ステップは、前記複数の制御局の各々に属する複数の基地局のいずれか一つの基地局から第２ＩＤ割当要求信号が受信されたか否かを判断する第１０ステップと、いずれか一つの基地局から前記第２ＩＤ割当要求信号が受信されなかった場合には、再び前記第１０ステップに進行し、他方、前記第２ＩＤ割当要求信号が受信された場合には、前記複数の制御局がその基地局に基地局ＩＤ割当データを伝送して対応する固有の基地局ＩＤを割り当てる第１１ステップと、前記複数の制御局の各々に属する複数の基地局に対するＩＤ割当動作が全部行われたか否かを判断する第１２ステップと、前記ＩＤ割当動作が全部行われなかった場合には、再び前記第１０ステップに進行し、他方、前記ＩＤ割当動作が全部行われた場合には、前記複数の基地局に割り当てられた基地局ＩＤを利用して前記複数の基地局に対する管理動作を各々行う第１３ステップとを備える。
【０００９】
請求項５に係る方法は、請求項４に記載の方法において、前記基地局ＩＤ割当データは、基地局グループＩＤを表す領域と、基地局ＩＤを表す領域とよりなるものである。
【００１０】
【発明の実施の形態】
以下、本発明の最も好ましい実施の形態について添附図面を参照しつつ説明する。
【００１１】
図１は、本発明の一実施の形態にかかるＩＭＴ−２０００システムにおけるネットワーク統制センター、複数の制御局、複数の基地局ＩＤ割当装置等の構成を示すブロック図である。
【００１２】
ネットワーク統制センター（ＯＭＣ（operating and maintenance center））は、ＩＭＴ−２０００システムの複数の制御局に接続され、また各々の制御局は、複数の基地局に接続される。
【００１３】
図１に示すように、ネットワーク統制センター１００は、前記複数の制御局をグループ化して管理すると共に、複数の基地局を管理するシステムであって、前記複数の制御局からＩＤ割当要求が受信されれば、全ての制御局に対する固有のＩＤおよびグループＩＤを割り当てると共に、そのＩＤ情報を利用して前記複数の制御局に対する管理動作を行う役割をする。
【００１４】
一方、前記複数の制御局は、自分と接続された複数の基地局を各々管理すると共に、各基地局との通信を介して呼処理関連動作を行うシステムであって、システムの初期化時、ネットワーク統制センター１００にＩＤ割当要求信号を伝送して、ネットワーク統制センター１００から自分の固有ＩＤおよびグループＩＤを付与すると共に、自分のＩＤ情報を利用して呼処理関連動作を行う一方、自分が管理する前記複数の基地局からＩＤ割当要求が受信されれば、全ての基地局に対する固有のＩＤを割り当てると共に、そのＩＤ情報を利用して前記複数の基地局に対する管理動作を行う役割をする。
【００１５】
また、前記複数の基地局は、マクロタイプ（Macro Type）、マイクロタイプ（Micro Type）、ピコタイプ（Pico Type）のいずれか一つのタイプにより具現されると共に、各々自分のタイプと関連した情報を内部メモリに格納しており、システムの初期化時、各々自分と接続された制御局にＩＤ割当要求信号を伝送して前記制御局から自分の固有のＩＤを付与されると共に、自身の固有のＩＤ情報を利用して呼処理関連動作を行う役割をする。
【００１６】
図２は、本発明の一実施の形態にかかるＩＭＴ−２０００システムにおける制御局および基地局にＩＤを割り当てる方法を示すフローチャートである。
【００１７】
まず、ステップＳ１０で、ネットワーク統制センター１００は、システムの初期化が行われたか否かを判断する。
【００１８】
この場合、ステップＳ１０でシステムの初期化が行われなかったら、ネットワーク統制センター１００は、再びステップＳ１０に進行し、他方、システムの初期化が行われば、ステップＳ２０に進行する。ステップＳ２０において、、ネットワーク統制センター１００は、システム内に所属する全ての制御局に制御局割当ＩＤデータを伝送して、全ての制御局に対する固有のＩＤおよびグループＩＤ割当動作を行う。
【００１９】
一方、ステップＳ３０において、前記複数の制御局は、ネットワーク統制センター１００で伝送した制御局ＩＤ割当データを各々入力されると共に、そのＩＤ割当データを分析して自分の固有のＩＤおよびグループＩＤを認識し、以後自分の固有ＩＤおよびグループＩＤを利用して呼処理関連動作を行う。
【００２０】
次いで、ステップＳ４０において、前記複数の制御局は、自分と接続された全ての基地局に基地局ＩＤ割当データを伝送して、全ての基地局に対する固有のＩＤ割当動作を各々行う。
【００２１】
ステップＳ５０において、前記複数の基地局は、内部メモリに格納された自分のタイプ情報を読み出して自分のタイプを認識し、以後前記制御局で伝送した基地局ＩＤ割当データを各々入力された後、そのＩＤ割当データを分析して自分の固有ＩＤを認識すると共に、自身の固有ＩＤおよびグループＩＤを利用して呼処理関連動作を行う。
【００２２】
図３は、図２に示したＩＭＴ−２０００システムにおける制御局および基地局にＩＤを割り当てる方法において、ステップＳ２０の細部ステップを示すフローチャートであり、図４は、図３に示したＩＭＴ−２０００システムにおける制御局および基地局にＩＤを割り当てる方法の中、ネットワーク統制センターが複数の制御局に伝送する制御局ＩＤ割当データの構造を示す図である。
【００２３】
まずステップＳ２０−１において、ネットワーク統制センター１００は、複数の制御局のいずれか一つの制御局からＩＤ割当要求信号が受信されたか否かを判断する。
【００２４】
ステップＳ２０−１において、任意の制御局からＩＤ割当要求信号が受信されなかったら、ネットワーク統制センター１００は、再びステップＳ２０−１に進行し、他方、任意の制御局からＩＤ割当要求信号が受信されれば、ステップＳ２０−２に進行する。ステップＳ２０−２において、ネットワーク統制センター１００は、その任意の制御局に制御局ＩＤ割当データを伝送して固有ＩＤおよびグループＩＤを割り当てる。
【００２５】
ここで、制御局ＩＤ割当データの構造は、図４に示すように、８ビットの制御局グループＩＤ領域、８ビットの制御局ＩＤ領域、１６ビットの予約領域等から構成された総３２ビットのデータである。
【００２６】
ステップＳ２０−３において、ネットワーク統制センター１００は、複数の制御局に対するＩＤ割当動作が全部行われたか否かを判断する。
【００２７】
この場合、ステップＳ２０−３において、複数の制御局に対するＩＤ割当動作が全部行われなかったら、ネットワーク統制センター１００は、再びステップＳ２０−１に進行し、他方、複数の制御局に対するＩＤ割当動作が全部行われば、ステップＳ２０−４に進行する。ステップＳ２０−４において、ネットワーク統制センター１００は、全ての制御局のＩＤ情報を利用して複数の制御局に対する管理動作を行う。
【００２８】
図５は、図２に示したＩＭＴ−２０００システムにおける制御局および基地局にＩＤを割り当てる方法における、ステップＳ４０の細部ステップを示すフローチャートであり、図６は、このＩＭＴ−２０００システムにおける制御局および基地局にＩＤを割り当てる方法における、複数の制御局が複数の基地局に伝送する基地局ＩＤ割当データの構造を示す図である。
【００２９】
まず、ステップＳ４０−１において、前記複数の制御局は、自分が管理する複数の基地局のいずれか一つの基地局からＩＤ割当要求信号が受信されたか否かを各々判断する。
【００３０】
この場合、ステップＳ４０−１において、自分が管理する複数の基地局のいずれか一つの基地局からＩＤ割当要求信号が受信されなかったら、前記複数の制御局は、再びステップＳ４０−１に進行し、他方、自分が管理する複数の基地局のいずれか一つの基地局からＩＤ割当要求信号が受信されれば、ステップＳ４０−２に進行する。ステップＳ４０−２において、前記複数の制御局は、その任意の基地局に基地局ＩＤ割当データを伝送して固有ＩＤを各々割り当てる。
【００３１】
ここで、基地局ＩＤ割当データの構造は、図６に示すように、１３ビットの基地局ＩＤ領域、３ビットの基地局タイプ領域、１６ビットの予約領域等から構成された総３２ビットのデータである。
【００３２】
次いで、ステップＳ４０−３において、前記複数の制御局は、自分が管理する複数の基地局に対するＩＤ割当動作が全部行われたか否かを各々判断する。
【００３３】
ステップＳ４０−３において、自分が管理する複数の基地局に対するＩＤ割当動作が全部行われなかったら、前記複数の制御局は、再びステップＳ４０−３に進行し、他方、自分が管理する複数の基地局に対するＩＤ割当動作が全部行われば、ステップＳ４０−４に進行する。ステップＳ４０−４において、前記複数の制御局は、自分と接続された全ての基地局のＩＤ情報を利用して前記複数の基地局に対する管理動作を各々行う。
【００３４】
なお、本発明の技術思想は、上記好ましい実施の形態によって具体的に記述されたが、上記した実施の形態はその説明のためのものであって、その制限のためのものでないことに留意されるべきである。また、本発明の技術分野の通常の専門家であるならば、本発明の技術思想の範囲内で種々の実施の形態が可能であることを理解されるべきである。
【００３５】
【発明の効果】
上述したように、本発明によるＩＭＴ−２０００システムにおける制御局および基地局にＩＤを割り当てる方法によれば、ネットワーク統制センターに複数の制御局を個別的に区分して管理するようにすると共に、システムの初期化時、複数の制御局に対する固有ＩＤおよびグループＩＤの割当動作と複数の基地局に対する固有ＩＤの割当動作をソフトウェア的に行うようにすることによって、基地局内にＲＯＭを設置しなくても良く、よって生産コストが低減されるだけでなく、各基地局に対する固有ＩＤの情報が変更された場合、運用者により早くかつ簡便にそのＩＤ変更作業を行えるようにするという優れた効果が得られる。
【図面の簡単な説明】
【図１】本発明の一実施の形態による、ＩＭＴ−２０００システムにおけるネットワーク統制センター、複数の制御局、複数の基地局ＩＤ割当装置の構成を示すブロック図である。
【図２】本発明の一実施の形態による、ＩＭＴ−２０００システムにおける制御局および基地局にＩＤを割り当てる方法を示すフローチャートである。
【図３】図２に示したＩＭＴ−２０００システムにおける制御局および基地局にＩＤを割り当てる方法における、ステップＳ２０の細部ステップを示すフローチャートである。
【図４】図３に示したＩＭＴ−２０００システムにおける制御局および基地局にＩＤを割り当てる方法の中、ネットワーク統制センターが複数の制御局に伝送する制御局ＩＤ割当データの構造図である。
【図５】図２に示したＩＭＴ−２０００システムにおける制御局および基地局にＩＤを割り当てる方法における、ステップＳ４０の細部ステップを示すフローチャートである。
【図６】本ＩＭＴ−２０００システムにおける制御局および基地局にＩＤを割り当てる方法における、複数の制御局が複数の基地局に伝送する基地局ＩＤ割当データの構造図である。
【符号の説明】
１００    ネットワーク統制センター
【図１】
0003708027.tif 000002
【図２】
0003708027.tif 000003
【図３】
0003708027.tif 000004
【図４】
0003708027.tif 000005
【図５】
0003708027.tif 000006
【図６】
0003708027.tif 000007